(57)【要約】【課題】テニスラケット等のガット張り機におけるワークテーブルを、正面手前側に任意の角度に自在に傾斜させることができるようにする。【解決手段】スタンド１０６の頂部に固定金具２を固着する一方、ワークテーブル１０５の下面中央に可動金具６を固着する。これら固定金具２と可動金具６は、固定金具２に可動金具６を被せた状態において止めねじ９、９を用いて連結する。止めねじ９、９は、可動金具６の垂直板６ｂ、６ｂに設けた止めねじ挿通孔７、７と弧状の止めねじ挿通長孔８、８に挿通し、固定金具２の垂直板２ｂ、２ｂに設けた螺孔３、３に螺合する。全ての止めねじ９、９を緩めた後、可動金具６を前部の止めねじ９、９を回動支点として垂直方向に所望の角度に傾斜させ、その位置において全ての止めねじ９、９を再び強く締めつけて固定する。【選択図】図３
2008178435.tif 000002
【特許請求の範囲】
【請求項１】
水平板の左右両側に下向きの垂直板を一体形成し、該左右の垂直板の前後の同じ高さの位置に螺孔を設けた、スタンド頂部に固着する固定金具と、前記固定金具に被さる、水平板の左右両側に下向きの垂直板を一体形成すると共に該垂直板に、その前部に止めねじ挿通孔を設ける一方、後部に、上端が前記止めねじ挿通孔と同一の高さの位置とする弧状の止めねじ挿通長孔を設けた、ワークテーブルの下面中央に固着する可動金具とからなり、これら固定金具と可動金具とを、可動金具の止めねじ挿通孔に挿通する止めねじを固定金具の螺孔に螺合することによって連結せしめてなるテニスラケット等のガット張り機におけるワークテーブル傾斜装置。
【発明の詳細な説明】
【技術分野】
【０００１】
本発明はテニスラケット等のガット張り機におけるワークテーブル傾斜装置に関し、更に詳細にはスタンドとワークテーブルとの間に介在させて装着することにより、ワークテーブルを正面手前側に任意の角度に自在に傾斜させることができるようになしたワークテーブル傾斜装置に係わる。
【背景技術】
【０００２】
テニスやバドミントン、スカッシュ、ラケットボール等のラケットのガット張り機は、図１３及び図１４に示す如き構成からなるものである。即ち、該ガット張り機１００は、ラケットの固定台１０１、１０１とガットクランプ機構１０２、１０２とを支持するターンテーブル１０３と、ガットを所定の圧力で引っ張るテンションユニット１０４と、前記ターンテーブル１０３とテンションユニット１０４とを上部にセットするワークテーブル１０５と、前記ワークテーブル１０５を支持するスタンド１０６とをもって構成されている。
【０００３】
しかし乍ら、従来の斯かるラケットのガット張り機１００には、ワークテーブル１０５が、即ち、その作業面が常に水平状態であることから、ガットを張る作業をするときに必ず前傾姿勢で行わなければならず、作業し難いと共に、疲労し易いという問題点があった。そして、近時は身体障害者が行う車椅子テニスが大変盛んになってきているが、車椅子に乗ったまま選手がガットを張るには、身体と作業面が離れている上に作業面が高過ぎ、もって容易にこれを行うことができない。
【発明の開示】
【発明が解決しようとする課題】
【０００４】
本発明は上記の点に鑑みなされたものであって、スタンドとワークテーブルとの間に介在させて装着することにより、ワークテーブルを正面手前側に任意の角度に自在に傾斜させることができるようになし、もって作業姿勢を起こすことによって作業の能率向上を図ることができると共に疲労の度合も軽減し、更には大きな傾斜角度とスタンドを低く調整することによって作業面を低くし、車椅子に乗ったままで選手が楽に且つスムーズにガットを張ることができるようになしたワークテーブル傾斜装置を提供せんとするものである。
【課題を解決するための手段】
【０００５】
而して、本発明の要旨とするところは、水平板の左右両側に下向きの垂直板を一体形成し、該左右の垂直板の前後の同じ高さの位置に螺孔を設けた、スタンド頂部に固着する固定金具と、前記固定金具に被さる、水平板の左右両側に下向きの垂直板を一体形成すると共に該垂直板に、その前部に止めねじ挿通孔を設ける一方、後部に、上端が前記止めねじ挿通孔と同一の高さの位置とする弧状の止めねじ挿通長孔を設けた、ワークテーブルの下面中央に固着する可動金具とからなり、これら固定金具と可動金具とを、可動金具の止めねじ挿通孔に挿通する止めねじを固定金具の螺孔に螺合することによって連結せしめてなるテニスラケット等のガット張り機におけるワークテーブル傾斜装置にある。
【発明の効果】
【０００６】
本発明は、上記の如き構成であり、スタンドとワークテーブルとの間に介在させて装着することにより、ワークテーブルを正面手前側に任意の角度に自在に傾斜させることができるようになすことができるものである。もって作業姿勢を起こすことによって作業の能率向上を図ることができると共に疲労の度合も軽減し、更には大きな傾斜角度とスタンドを低く調整することによって作業面を低くし、車椅子に乗ったままで選手が楽に且つスムーズにガットを張ることができるようになすことができるものである。
【発明を実施するための最良の形態】
【０００７】
本発明を実施するための最良の形態は、水平板の左右両側に下向きの垂直板を一体形成し、該左右の垂直板の前後の同じ高さの位置に螺孔を設けた、スタンド頂部に固着する固定金具と、前記固定金具に被さる、水平板の左右両側に下向きの垂直板を一体形成すると共に該垂直板に、その前部に止めねじ挿通孔を設ける一方、後部に、上端が前記止めねじ挿通孔と同一の高さの位置とする弧状の止めねじ挿通長孔を設けた、ワークテーブルの下面中央に固着する可動金具とをもって構成し、これら固定金具と可動金具とを、可動金具の止めねじ挿通孔に挿通する止めねじを固定金具の螺孔に螺合することによって連結せしめることにある。
【実施例】
【０００８】
以下、本発明の実施例について説明する。
図１は本発明を実施したテニスラケット等のガット張り機の分解状態の正面図、図２は同右側面図、図３は同斜視図、図４は本発明を実施したテニスラケット等のガット張り機の組み立てた状態の右側面図、図５は固定金具の正面図、図６は同右側面図、図７は同底面図、図８は可動金具の正面図、図９は同右側面図、図１０は同底面図、図１１及び図１２は本発明の作用説明図である。
【０００９】
テニスラケット等のガット張り機自体については、図１３及び図１４に示した従来のものと同一であるから、同一の部材には同一の符号を付して説明は省略する。
【００１０】
図中、１はワークテーブル傾斜装置であり、スタンド１０６とワークテーブル１０５との間に介在させて装着することにより、ワークテーブル１０５を正面手前側に任意の角度に自在に傾斜させることができるようになすためのものである。そしてまた、該ワークテーブル傾斜装置１は、後記固定金具と可動金具とをもって構成されている。
【００１１】
２はスタンド１０６の頂部に固着する固定金具である。また、該固定金具２は、水平板２ａの左右両側に下向きの垂直板２ｂ、２ｂを一体形成し、該左右の垂直板２ｂ、２ｂの前後の同じ高さの位置に螺孔３、３を設けてなるものである。
【００１２】
また、本実施例においては、左右の垂直板２ｂ、２ｂに透孔２ｂ′、２ｂ′を設けると共に該透孔２ｂ′、２ｂ′の位置の内側にナット３′、３′を固着することをもって螺孔３、３となしているが、左右の垂直板２ｂ、２ｂ自体に雌ねじ穴を切って螺孔３、３とするようになしてもよい。
【００１３】
また、本実施例においては、スタンド１０６の頂部への固着手段としてねじ止め手段を採用しているが、これに代えて接着、熔接等の手段を採用するようにしてもよい。
【００１４】
尚、本実施例におけるねじ止め手段は、スタンド１０６の頂部の水平板１０６Ａの四隅に設けた透孔（図示せず。）に挿通する止めねじ４、４を、固定金具２の水平板２ａの四隅に設けた螺孔５、５に螺合することによって行うものである。また、該螺孔５、５の形成の仕方の点については、前記と同様である。
【００１５】
６はワークテーブル１０５の下面中央に固着する可動金具であり、前記固定金具２に被さった状態において後記止めねじをもって該固定金具２に連結されるものである。
【００１６】
また、該可動金具６は、水平板６ａの左右両側に下向きの垂直板６ｂ、６ｂを一体形成すると共に該垂直板６ｂ、６ｂに、その前部に止めねじ挿通孔７、７を設ける一方、後部に、上端が前記止めねじ挿通孔７、７と同一の高さの位置とする弧状の止めねじ挿通長孔８、８を設けてなるものである。尚、本実施例においては、垂直板６ｂ、６ｂを三角形状となしており、また、弧状の止めねじ挿通長孔８、８の夫々は、止めねじ挿通孔７、７の夫々を中心点とした円の軌跡に沿っている。
【００１７】
また、該可動金具６のワークテーブル１０５の下面中央への固着手段としては、ねじ止め、接着、熔接等の適宜の手段を採用して行う。
【００１８】
９、９は止めねじであり、前記固定金具２と可動金具６とを連結すると共に可動金具６を所望の角度に傾斜した位置に固定するために用いるものである。また、該止めねじ９、９は、可動金具６の垂直板６ｂ、６ｂに設けた止めねじ挿通孔７と弧状の止めねじ挿通長孔８、８に挿通し、固定金具２の垂直板２ｂ、２ｂに設けた螺孔３、３に螺合するものである。
【００１９】
次に上記実施例の作用について説明する。
図４にはワークテーブル１０５が水平の位置にある状態を示しており、今この状態において正面手前側に傾斜させるようにするには、先ず全ての止めねじ９、９を緩めた後、可動金具６を前部の止めねじ９、９を回動支点として垂直方向に回動させる。そして、ワークテーブル１０５が所望の角度に傾斜したら再び全ての止めねじ９、９を強く締めつけるものである。尚、この止めねじ９、９を強く締めつけると、該止めねじ９、９の頭部の内面が可動金具６の垂直板６ｂ、６ｂの外面に強く圧着されて制動されるものである。これにより、ワークテーブル１０５は、図１１に示す如く、正面手前側に所望の角度に傾斜した状態に保持されるものである。そしてまた、ワークテーブル１０５を、図１２に示す如く更に大きく傾ける場合には、上記と同様の手順にて行うものである。
【図面の簡単な説明】
【００２０】
【図１】本発明を実施したテニスラケット等のガット張り機の分解状態の正面図である。
【図２】本発明を実施したテニスラケット等のガット張り機の分解状態の右側面図である。
【図３】本発明を実施したテニスラケット等のガット張り機の分解状態の斜視図である。
【図４】本発明を実施したテニスラケット等のガット張り機の組み立てた状態の右側面図である。
【図５】固定金具の正面図である。
【図６】固定金具の右側面図である。
【図７】固定金具の底面図である。
【図８】可動金具の正面図である。
【図９】可動金具の右側面図である。
【図１０】可動金具の底面図である。
【図１１】本発明の作用説明図であり、ワークテーブルを傾斜させた状態を示すものである。
【図１２】本発明の作用説明図であり、ワークテーブルを最大に傾斜させた状態を示すものである。
【図１３】従来のテニスラケット等のガット張り機の正面図である。
【図１４】従来のテニスラケット等のガット張り機の右側面図である。
【符号の説明】
【００２１】
１  ワークテーブル傾斜装置
２  固定金具
２ａ  水平板
２ｂ、２ｂ  左右の垂直板
３、３  螺孔
４、４  止めねじ
５、５  螺孔
６  可動金具
６ａ  水平板
６ｂ、６ｂ  左右の垂直板
７、７  止めねじ挿通孔
８、８  弧状の止めねじ挿通長孔
９、９  止めねじ
【図１】
2008178435.tif 000003
【図２】
2008178435.tif 000004
【図３】
2008178435.tif 000005
【図４】
2008178435.tif 000006
【図５】
2008178435.tif 000007
【図６】
2008178435.tif 000008
【図７】
2008178435.tif 000009
【図８】
2008178435.tif 000010
【図９】
2008178435.tif 000011
【図１０】
2008178435.tif 000012
【図１１】
2008178435.tif 000013
【図１２】
2008178435.tif 000014
【図１３】
2008178435.tif 000015
【図１４】
2008178435.tif 000016